(57)【特許請求の範囲】
【請求項１】
使用回線の障害を検出したときはアラームを通知し、未使用回線の障害を検出してもアラームを通知しないようにマスクする回線監視装置において、回線ごとに設けられてデータ信号列の有無を検出する入力検出手段と、回線ごとに設けられてデータ信号列のフレーム同期が確立するか否かを検出するフレーム同期検出手段と、前記入力検出手段が前記データ信号列の入力有を検出したのち前記フレーム同期検出手段が所定時間内にフレーム同期確立を検出したことに基づき前記回線が使用回線であると判定したときにアラームのマスク解除を指定するアラームマスク信号を出力する判定手段と、前記アラームマスク信号に応じてアラームのマスク処理を行うアラームマスク手段とを備えることを特徴とする回線監視装置。
【請求項２】
前記判定手段は、外部から入力する監視モード設定信号に応じて動作し、前記監視モード設定信号により自動監視モードを指定された場合は前記入力検出手段および前記フレーム同期検出手段のそれぞれの検出信号の変化状態に基づき前記アラームマスク信号を出力し、前記監視モード設定信号により無条件監視モードを指定された場合は無条件にアラームのマスク解除を指定するアラームマスク信号を出力し、無条件マスクモードを指定された場合は無条件にアラームのマスクを指定するアラームマスク信号を出力することを特徴とする請求項１記載の回線監視装置。
【請求項３】
前記判定手段は、前記自動監視モードの場合、前記入力検出手段が前記データ信号列の入力有を検出したのち前記フレーム同期検出手段が所定時間内にフレーム同期確立を検出したとき変化状態が正常であることを示す変化状態判定信号を出力する変化状態判定回路と、正常であることを示す前記変化状態判定信号が一定時間継続したときに前記アラームのマスク解除を指示するアラームマスク信号を出力すると共に回線の監視開始を示す信号を出力する監視開始判定回路とを有することを特徴とする請求項１又は２記載の回線監視装置。
【発明の詳細な説明】
【０００１】
【発明の属する技術分野】
本発明は回線監視装置に関し、特に実際に使用されている回線の障害を検出したときはアラームを通知し、未使用の回線の障害を検出したときはアラームを通知しないようにマスクする回線監視装置に関する。
【０００２】
【従来の技術】
将来の需要増や回線障害等に備えて予備の回線を設けたデータ伝送システムでは、システムの運用開始当初、全ての回線を使用してデータ伝送することは少なく、未使用の回線が存在する。
【０００３】
回線監視装置は、例えば回線の保守点検等の際に、未使用の回線に誤ってデータ信号が混入したような場合、このデータ信号の入力断やフレーム同期外れを検出してアラームを通知することになる。しかし、未使用回線のアラームは不要なアラームであり、このような不要なアラームを通知しないようにする必要がある。このため、実際に使用されている回線のアラームのみを通知し、未使用の回線からのアラームは通知しないようにマスクする機能を回線監視装置に設けている。
【０００４】
図５は、従来の回線監視装置のブロック図であり、各回線毎に設けられてアラーム信号を出力する監視部を示している。
【０００５】
同図において、入力検出回路１１は、回線１０から入力するデータ信号列１００の入力断を検出して入力アラーム信号１０１を出力する。フレーム同期検出回路１２は、データ信号列１００のフレーム同期外れを検出してフレーム同期アラーム信号２０１を出力する。
【０００６】
アラームマスク回路１５は、入力アラーム信号１０１およびフレーム同期アラーム信号２０１を受け、外部から予め指定されるマスク情報９００に基づき、回線が未使用の場合には、アラーム信号１０１，２０１に対しマスクを行ってアラーム信号を出力しないようにし、また、回線が使用回線の場合には、アラーム信号１０１，２０１をそのままアラーム信号５０１，５０２として出力する。アラーム多重回路１８は、アラームマスク回路１5から出力されるアラーム信号５０１，５０２を多重化してアラーム信号８００として出力する。
【０００７】
他の従来例としては、例えば特開平２−２３４５９７号公報により開示されているように、作業現場において作業者がアラーム信号のマスク設定／解除情報を送出してマスクテーブルを更新設定し、このマスクテーブルに基づいてアラーム信号のマスク処理を行うことにより、不要なアラーム信号を通報しないように構成している。
【０００８】
【発明が解決しようとする課題】
上述した従来例の前者では、外部から予め指定されるマスク情報に基づいてマスク処理を行っている。また後者では、作業現場において作業者が指定するマスク情報によって更新されたマスクテーブルに基づいてマスク処理を行っている。しかし、回線や装置構成等が変更された場合には、新たにマスク情報を作成すると共に、新たなマスク情報によりマスクテーブルを更新する必要が生じる。また、装置自体にマスク条件設定用のスイッチ等が設けられている場合には、装置が設置されている場所で作業を行わなければならず、煩わしい作業が発生する。
【０００９】
更に、マスク情報に誤りがあったり、マスクテーブルの更新設定にミスが発生した場合には、未使用回線の不要なアラーム信号が通知されたり、使用回線のアラームが通知されなかったりして、正しくマスク処理を行うことができないという問題点を有している。
【００１０】
本発明の目的は、使用回線なのか未使用回線なのかを自動的に判定して監視を開始することにより、回線の使用構成が変更された場合でも、マスク処理のための煩雑なマスク設定作業を新たに行う必要がなく、設定ミスも防止できる回線監視装置を提供することにある。
【００１１】
【課題を解決するための手段】
本発明の回線監視装置は、使用回線の障害を検出したときはアラームを通知し、未使用回線の障害を検出してもアラームを通知しないようにマスクする回線監視装置において、回線ごとに設けられてデータ信号列の有無を検出する入力検出手段と、回線ごとに設けられてデータ信号列のフレーム同期が確立するか否かを検出するフレーム同期検出手段と、前記入力検出手段が前記データ信号列の入力有を検出したのち前記フレーム同期検出手段が所定時間内にフレーム同期確立を検出したことに基づき前記回線が使用回線であると判定したときにアラームのマスク解除を指定するアラームマスク信号を出力する判定手段と、前記アラームマスク信号に応じてアラームのマスク処理を行うアラームマスク手段とを備えて構成する。
【００１２】
また、前記判定手段は、外部から入力する監視モード設定信号に応じて動作し、前記監視モード設定信号により自動監視モードを指定された場合は前記入力検出手段および前記フレーム同期検出手段のそれぞれの検出信号の変化状態に基づき前記アラームマスク信号を出力し、前記監視モード設定信号により無条件監視モードを指定された場合は無条件にアラームのマスク解除を指定するアラームマスク信号を出力し、無条件マスクモードを指定された場合は無条件にアラームのマスクを指定するアラームマスク信号を出力するように構成する。
【００１３】
更に、前記判定手段は、前記自動監視モードの場合、前記入力検出手段が前記データ信号列の入力有を検出したのち前記フレーム同期検出手段が所定時間内にフレーム同期確立を検出したとき変化状態が正常であることを示す変化状態判定信号を出力する変化状態判定回路と、正常であることを示す前記変化状態判定信号が一定時間継続したときに前記アラームのマスク解除を指示するアラームマスク信号を出力すると共に回線の監視開始を示す信号を出力する監視開始判定回路とを有するように構成する。
【００１６】
【発明の実施の形態】
次に本発明について図面を参照して説明する。
【００１７】
図１は本発明の一実施形態を示すブロック図であり、複数の回線１０−１，１０−２，……，１０−ｎを監視し全回線の監視状態を示す信号６００を出力する回線監視装置を示している。
【００１８】
同図において、各回線１０−１，１０−２，……，１０−ｎにそれぞれ設けられて回線の障害を検出しアラーム信号を出力する監視部１−１，１−２，……，１−ｎと、これら監視部からそれぞれ出力されるアラーム信号を多重化して全回線の監視状態を示す信号６００として出力するアラーム多重部２と、図示しない上位システムから全回線に対する監視設定情報７００を受けて、各回線毎の監視部に対して監視モード設定信号３００−１，３００−２，……，３００−ｎを出力する監視モード設定部３とを備えている。
【００１９】
監視モード設定信号３００が指定する監視モードは、自動監視モード、無条件監視モード、および無条件マスクモードの３種類であり、通常は自動監視モードを指定する。
【００２０】
自動監視モードは、使用回線なのか未使用回線なのかを自動的に判定し、使用回線であると判定したときはアラームを通知するようにマスクを解除して回線監視を開始するモードである。
【００２１】
無条件監視モードは、無条件にマスクを解除して回線監視を開始するモードである。また、無条件マスクモードは、無条件にアラームを通知しないようにマスクするモードである。
【００２２】
さて、各監視部１−１，１−２，……，１−ｎはそれぞれ同一構成であるので、以下、監視部１として説明する。
【００２３】
監視部１は、回線から入力するデータ信号列１００の入力断を検出して入力アラーム信号１０１を出力する入力検出回路１１と、データ信号列１００のフレーム同期外れを検出してフレーム同期アラーム信号２０１を出力するフレーム同期検出回路１２と、監視モード設定信号３００により指定される監視モードに応じて動作し、自動監視モードの場合は、入力アラーム信号１０１およびフレーム同期アラーム信号２０１の変化状態に基づいて正常であるか異常であるかの判定を示す変化状態判定信号３０１を出力する変化状態判定回路１３と、正常を示す変化状態判定信号３０１が一定時間継続したときにアラーム信号のマスク解除を示すアラームマスク信号４０１を出力すると共に回線の監視開始を示す信号４０２を出力する監視開始判定回路１４と、アラームマスク信号４０１がマスク解除を指定するときは入力アラーム信号１０１およびフレーム同期アラーム信号２０１をそのまま出力し、アラームマスク信号４０１がマスクを指定するときは入力アラーム信号１０１およびフレーム同期アラーム信号２０１を出力しないようにするアラームマスク回路１５とを有している。
【００２４】
ここで、入力検出回路１１は、データ信号列１００の入力断を検出したときには入力アラーム信号１０１を「Ｈ」レベルとして出力し、データ信号列の入力を検出したときには入力アラーム信号１０１を「Ｌ」レベルとして出力する。また、フレーム同期検出回路１２は、フレーム同期外れを検出したときにはフレーム同期アラーム信号２０１を「Ｈ」レベルとして出力し、フレーム同期の確立を検出したときにはフレーム同期アラーム信号２０１を「Ｌ」レベルとして出力する。
【００２５】
ところで、正常なデータ信号列が回線に伝送されたとき、入力アラーム信号１０１は「Ｈ」レベル（入力断）から「Ｌ」レベル（入力有）に変化し、その後、同期引き込みに要する所定時間内にフレーム同期が確立するので、フレーム同期アラーム信号２０１は「Ｈ」レベル（同期外れ）から「Ｌ」レベル（同期確立）に変化する。
【００２６】
また、正常なデータ信号列の伝送が停止したとき、入力アラーム信号１０１は「Ｌ」レベル（入力有）から「Ｈ」レベル（入力断）に変化し、同期外れに要する所定時間内にフレーム同期が外れるので、フレーム同期アラーム信号２０１は「Ｌ」レベル（同期確立）から「Ｈ」レベル（同期外れ）に変化する。この変化をアラーム信号１０１，２０１の変化状態が正常であるとする。
【００２７】
変化状態判定回路１３は、監視モード設定信号３００により自動監視モードを指定された場合、入力アラーム信号１０１およびフレーム同期アラーム信号２０１の変化状態を監視し、上述したように変化状態が正常か否かを判定し、変化状態が正常であると判定したときは変化状態判定信号３０１を「Ｈ」レベルとし、異常であると判定したときは変化状態判定信号３０１を「Ｌ」レベルとする。
【００２８】
また、監視モード設定信号３００により無条件監視モードを指定された場合、変化状態判定信号３０１を常時「Ｈ」レベル（正常変化）とし、監視モード設定信号３００により無条件マスクモードを指定された場合、変化状態判定信号３０１を常時「Ｌ」レベル（異常変化）にすると共に、無条件マスクを示す信号３０２を出力する。
【００２９】
監視開始判定回路１４は、変化状態判定信号３０１が一定時間継続して正常（「Ｈ」レベル」）を示したときに、この回線は使用回線であると判定し、アラーム信号のマスク解除を指示するアラームマスク信号４０１（「Ｌ」レベル）をアラームマスク回路１５へ出力すると共に、回線の監視開始を示す信号４０２を出力する。また、変化状態判定信号３０１が「Ｈ」レベル（正常変化）を一定時間継続しないとき、無条件マスクを指示する信号３０２を受けているならば、アラームマスク信号４０１を無条件に「Ｈ」レベル（マスク）としてアラームマスク回路１５へ出力する。
【００３０】
アラームマスク回路１５は、アラームマスク信号４０１がマスクを指示する「Ｈ」レベルのときは、入力アラーム信号１０１およびフレーム同期アラーム信号２０１をマスクして出力しないようにし、アラームマスク信号４０１がマスク解除を指示する「Ｌ」レベルのときは、入力アラーム信号１０１およびフレーム同期アラーム信号２０１をそのままアラーム信号５０１，５０２として出力する。
【００３１】
図２は変化状態判定回路１３および監視開始判定回路１４の動作を説明するフローチャートである。
【００３２】
初期条件として、変化状態判定回路１３が出力する変化状態判定信号３０１は「Ｌ」レベル（異常変化）であり、監視開始判定回路１４が出力するアラームマスク信号４０１は「Ｈ」レベル（マスク）となっているものとする。
【００３３】
図２において、変化状態判定回路１３は、まず、監視モード設定信号３００を受信し（ステップ８０１）、指定される監視モードが自動監視モードなのか、無条件監視モードなのか、無条件マスクモードなのかを確認する（ステップ８０２，８０３）。
【００３４】
自動監視モードの指定を受けている場合、変化状態判定回路１３は入力アラーム信号１０１およびフレーム同期アラーム信号２０１の変化状態を監視し（ステップ８０４）、入力アラーム信号１０１が「Ｈ」レベル（入力断）から「Ｌ」レベル（入力有）に変化したとき（ステップ８０５）、フレーム同期アラーム信号２０１が所定時間内に「Ｈ」レベル（同期外れ）から「Ｌ」レベル（同期確立）に変化したならば（ステップ８０６）、変化状態が正常であると判定して変化状態判定信号３０１を「Ｈ」レベルとして出力する（ステップ８０７）。
【００３５】
なお、ステップ８０５において入力アラーム信号１０１が「Ｈ」レベル（入力断）から「Ｌ」レベル（入力有）に変化しない場合、およびステップ８０６においてフレーム同期アラーム信号２０１が所定時間内に「Ｈ」レベル（同期外れ）から「Ｌ」レベル（同期確立）に変化しなかった場合は、変化状態判定信号３０１は「Ｌ」レベル（異常変化）のままでステップ８０４に戻る。
【００３６】
監視開始判定回路１４は、変化状態判定信号３０１が「Ｈ」レベル（正常変化）に変化した後、この「Ｈ」レベルが一定時間継続したならば（ステップ８０８）、この回線が使用されているものと判定し、アラームマスク信号４０１を「Ｈ」レベル（マスク）から「Ｌ」レベル（マスク解除）にしてアラームマスク回路１５へ出力し（ステップ８０９）、同時に監視開始を示す信号４０２を出力して回線の監視を開始する（ステップ８１０）。
【００３７】
無条件監視モードの指定を受けている場合（ステップ８０３）、変化状態判定回路１３は、変化状態判定信号３０１を常時「Ｈ」レベル（正常変化）とする（ステップ８１１）。監視開始判定回路１４は、アラームマスク信号４０１を無条件に「Ｌ」レベル（マスク解除）とし（ステップ８０８，８０９）、監視開始を示す信号４０２を出力して無条件に回線の監視を開始する（ステップ８１０）。この場合は、無条件にマスク解除されてアラームは通知される。
【００３８】
無条件マスクモードの指定を受けている場合（ステップ８０３）、変化状態判定回路１３は、変化状態判定信号３０１を常時「Ｌ」レベル（異常変化）にすると共に無条件マスクを示す信号３０２を出力する（ステップ８１２）。監視開始判定回路１４は、無条件マスクを示す信号３０２を受けているので（ステップ８１３）、アラームマスク信号４０１を無条件に「Ｈ」レベル（マスク）とする。この場合は、アラーム信号は無条件にマスクされてアラームは通知されない。
【００３９】
なお、変化状態判定信号３０１が「Ｈ」レベル（正常変化）を一定時間継続せず（ステップ８０８）、且つ、無条件マスクモードではない場合は（ステップ８１３）、この回線は未使用であると判定し、アラームマスク信号４０１は「Ｈ」レベル（マスク）のままでステップ８０４に戻る。
【００４０】
図３は各信号のタイミングチャートである。
【００４１】
同図において、システムが起動開始した直後の時間帯Ａでは、回線にデータ信号列１００が存在しないので、入力アラーム信号１０１は「Ｈ」レベル（入力断）を示し、フレーム同期アラーム信号２０１も「Ｈ」レベル（同期外れ）を示している。また、初期条件として変化状態判定信号３０１は「Ｌ」レベルを示し、アラームマスク信号４０１は「Ｈ」レベル（マスク）を示している。従って、アラーム信号は通知されない。
【００４２】
次の時間帯Ｂに、保守等の作業によって誤ったデータ信号列１００が回線に入力された場合、このデータ信号列が入力検出回路３により検出されて入力アラーム信号１０１が「Ｌ」レベル（入力有）に変化する（時点ｔ１）。しかし、このデータ信号列は本来入力すべき正常なデータ信号列ではないので、フレーム同期は確立せず、フレーム同期アラーム信号２０１は「Ｈ」レベル（同期外れ）を示したままである。従って、変化状態判定信号３０１は「Ｌ」レベル（異常変化）を示し、アラームマスク信号４０１は「Ｈ」レベル（マスク）を示したままであり、アラーム信号は通知されない。
【００４３】
やがて時間帯Ｃにおいてデータ信号列１００がなくなり、入力アラーム信号１０１は再び「Ｈ」レベル（入力断）に変化する（時点ｔ２）。この場合も、フレーム同期アラーム信号２０１は「Ｈ」レベル（同期外れ）を示したままであり、変化状態判定信号３０１は「Ｌ」レベル（異常変化）を示し、アラームマスク信号４０１はマスク（「Ｈ」レベル）を示したままである。
【００４４】
その後、時間帯Ｄにおいて、正常なデータ信号列が回線に伝送されたとき、入力アラーム信号１０１は「Ｌ」レベル（入力有）に変化し（時点ｔ３）、所定時間（Ｔ１）が経過してフレーム同期が確立してフレーム同期アラーム信号２０１は「Ｌ」レベル（同期確立）を示す。この場合、変化状態が正常であるので、変化状態判定信号３０１は「Ｈ」レベル（正常変化）を示す（時点ｔ４）。
【００４５】
その後、更に一定時間（Ｔ２）が経過したとき（時点ｔ５）、アラームマスク信号４０１は「Ｌ」レベル（マスク解除）となり、回線の監視が開始される。
【００４６】
このように、回線のデータ信号列およびフレーム同期確立をそれぞれ検出し、その変化状態により使用回線なのか未使用回線なのかを判定し、変化状態が正常であるならばアラームのマスクを解除して自動的に回線監視を開始することができるので、従来のように、未使用の回線に誤った信号が入力された場合でも、誤って回線監視を開始してしまうこともなく、回線の使用構成が変更された場合でも、煩雑なマスク設定作業を新たに行う必要がなく、設定ミスも防止できる。
【００４７】
次に本発明の他の実施形態について説明する。
【００４８】
図４は、本発明の他の実施形態を示すブロック図であり、図１に示した構成要素と同じものには同一符号を付している。また、図１に示した実施形態との相違点は、アラーム多重部２および監視モード設定部３に代えて集中制御監視部５を設け、各回線の監視部にアラーム多重回路をそれぞれ設けている点である。
【００４９】
図４において、集中制御監視部５は、複数（ｎ）の回線の監視部４−１，４−２，……，４−ｎに監視モード設定信号３００をそれぞれ出力して監視モードを指定すると共に、監視部４−１，４−２，……，４−ｎからそれぞれ出力されるｎ個の回線のアラーム多重信号６０１−１，６０１−２，……，６０１−ｎをそれぞれ収集する。
【００５０】
このように構成しても、全ての回線の監視部４に対して自動監視モードを設定しておくことにより、回線の使用構成が変更になった場合でも、回線毎に新たなマスク設定作業を行うことなく、未使用回線のアラームに対してマスクして、使用回線の監視を行うことができ、同様な効果が得られる。
【００５１】
ところで、上述した本発明の説明では、入力検出回路から出力される入力アラーム信号およびフレーム同期検出回路から出力されるフレーム同期アラーム信号を用いてデータ信号列が正常であるか否かを判定し、回線監視を自動的に開始しているが、他の判定手段として、フレーム同期検出回路の代わりにＡＩＳ検出回路を用いてもよい。ＡＩＳ（Ａｌａｒｍ  Ｉｎｄｉｃａｔｉｏｎ  Ｓｉｇｎａｌ）は、システムの始動等において伝送情報がないときに、使用回線に送出されるオール「１」ビットの特定の信号である。従って、ＡＩＳ検出回路を設け、このＡＩＳを検出したときは、回線が使用回線であると判定することができる。
【００５２】
また、アラーム信号としては、入力アラーム信号やフレーム同期アラーム信号以外の、回線を監視するために必要なアラーム信号を含んでいてもよいことは明らかである。
【００５３】
【発明の効果】
以上説明したように本発明によれば、回線のデータ信号列およびフレーム同期確立をそれぞれ検出し、その変化状態により使用回線なのか未使用回線なのかを判定し、自動的に回線監視を開始することができるので、従来のように、未使用の回線に誤った信号が入力された場合でも、誤って回線監視を開始してしまうこともなく、回線の使用構成が変更された場合でも、マスク処理のための煩雑なマスク設定作業を新たに行う必要がなく、設定ミスも防止できる。
【００５４】
また、使用回線なのか未使用回線なのかを自動的に判定して回線監視を開始する自動監視モード、無条件にマスクを解除して回線監視を開始する無条件監視モード、および無条件にアラームをマスクする無条件マスクモードをそれぞれ選択でき、回路規模を増加させることなくマスク設定変更を容易に行うことができる。また、保守作業も容易となり、マスク設定誤り等も発生しない。
【図面の簡単な説明】
【図１】図１は本発明の一実施形態を示すブロック図である。
【図２】図１に示した変化状態判定回路１３および監視開始判定回路１４の動作を説明するフローチャートである。
【図３】各信号のタイミングチャートである。
【図４】本発明の他の実施形態を示すブロック図である。
【図５】従来の回線監視装置を示すブロック図である。
【符号の説明】
２    アラーム多重部
１１    入力検出回路
１２    フレーム同期検出回路
１３    変化状態判定回路
１４    監視開始判定回路
１５    アラームマスク回路
【図１】
0003656503.tif 000002
【図２】
0003656503.tif 000003
【図３】
0003656503.tif 000004
【図４】
0003656503.tif 000005
【図５】
0003656503.tif 000006